(57)【要約】【課題】雪の影響を受けることなく、器具周囲の照度により自動点滅が制御可能となる照明器具を提供する。【解決手段】照明器具１０において、直線状に複数のＬＥＤ１６が配列されるＬＥＤユニット１１と、ＬＥＤユニット１１を収容し下方がグローブ取付部１７となる器具本体１２と、器具本体１２のグローブ取付部１７に取り付けられＬＥＤユニット１１を覆う透光性のグローブ１３と、器具本体１２に取り付けられ検知した外光に基づきＬＥＤユニット１１を点灯消灯制御する自動点滅器１５と、器具本体１２に穿設されて外光を自動点滅器１５に導光する外光取入開口１８と、外光取入開口１８を覆う透明材からなるカバー１９と、外光取入開口１８の器具内側開口周囲面に密着する熱伝導体２１と、ＬＥＤユニット１１を熱伝導体２１に接続して放熱経路２４を形成する放熱経路形成部材２３と、を設けた。【選択図】図１
2012227017.tif 000002
【特許請求の範囲】
【請求項１】
直線状に複数のＬＥＤが配列されるＬＥＤユニットと、
前記ＬＥＤユニットを収容し下方がグローブ取付部となる器具本体と、
前記器具本体の前記グローブ取付部に取り付けられ前記ＬＥＤユニットを覆う透光性のグローブと、
前記器具本体に取り付けられ検知した外光に基づき前記ＬＥＤユニットを点灯消灯制御する自動点滅器と、
前記器具本体に穿設されて外光を前記自動点滅器に導光する光取入開口と、
前記外光取入開口を覆う透明材からなるカバーと、
前記外光取入開口の器具内側開口周囲面に密着する熱伝導体と、
前記ＬＥＤユニットを前記熱伝導体に接続して放熱経路を形成する放熱経路形成部材と、を具備する照明器具。
【請求項２】
請求項１記載の照明器具において、
前記器具本体が鉛直線に対して所定の角度傾斜して被取付体に取り付けられ、
前記外光取入開口が前記器具本体の傾斜方向上端部に配置されている照明器具。
【発明の詳細な説明】
【技術分野】
【０００１】
本発明は、器具周囲の照度により自動点滅制御が可能な照明器具に関する。
【背景技術】
【０００２】
照明器具である例えば図４に示す防犯灯１００は、道路に立設された電柱や、建物の外壁１０１など高所に設置使用される（例えば特許文献１参照）。防犯灯１００は、光電式自動点滅器（以下「自動点滅器」という）１０２の先端に設けられている受光部１０３で光を受光し、屋外の明暗を検知し、ランプを消灯・点灯（以下、「点滅」という）させる。防犯灯１００は、上部に合成樹脂などからなる下方開口した略船形をし、安定器（図示せず）などを内蔵した器具本体１０４と、この器具本体１０４の下方に装着される上方の開口する略船形をした透光性のグローブ１０５とからなる。器具本体１０４は鉛直面である外壁１０１に対して所定角度で傾斜して取り付けられる。図例の防犯灯１００では自動点滅器１０２の受光部１０３が、器具本体１０４の傾斜方向下端部１０６に設けられている。
【０００３】
ランプや安定器の取り付けられる器具本体１０４は、ランプが点灯されるとその発熱が伝わる。この熱は、器具本体１０４の全体から放熱することにより、照明器具の内部温度の上昇が抑止される。一方で、この放熱は、器具本体１０４の積雪を溶かす効果もあった。従来、この種の照明器具は、２０Ｗ蛍光ランプ一灯を内蔵した一般に防犯灯１００と呼ばれている蛍光灯器具が大半であった。近年、省エネルギー、環境配慮の観点から、光源として発光ダイオード（ＬＥＤ）を用いた照明器具が注目されてきている。
【先行技術文献】
【特許文献】
【０００４】
【特許文献１】特開２００６−８００９７号公報（請求項１、図８、段落００２７）
【発明の概要】
【発明が解決しようとする課題】
【０００５】
しかしながら、ＬＥＤ照明器具は、発熱が少ないことから、器具本体１０４に積雪しても雪が溶けにくい。このため、器具本体１０４の積雪面に自動点滅器１０２の受光部１０３を設けた場合、受光部１０３が雪で覆われてしまうと、自動点滅器１０２が器具周囲の照度に関係なく点灯制御を行ってしまう可能性があった。
【０００６】
本発明は上記状況に鑑みてなされたもので、その目的は、雪の影響を受けることなく、器具周囲の照度により自動点滅が制御可能となる照明器具を提供することにある。
【課題を解決するための手段】
【０００７】
本発明の照明器具は、直線状に複数のＬＥＤが配列されるＬＥＤユニットと、前記ＬＥＤユニットを収容し下方がグローブ取付部となる器具本体と、前記器具本体の前記グローブ取付部に取り付けられ前記ＬＥＤユニットを覆う透光性のグローブと、前記器具本体に取り付けられ検知した外光に基づき前記ＬＥＤユニットを点灯消灯制御する自動点滅器と、前記器具本体に穿設されて外光を前記自動点滅器に導光する外光取入開口と、前記外光取入開口を覆う透明材からなるカバーと、前記外光取入開口の器具内側開口周囲面に密着する熱伝導体と、前記ＬＥＤユニットを前記熱伝導体に接続して放熱経路を形成する放熱経路形成部材と、を具備するものである。
【０００８】
また、本発明の照明器具は、前記器具本体が鉛直線に対して所定の角度傾斜して被取付体に取り付けられ、前記外光取入開口が前記器具本体の傾斜方向上端部に配置されているものである。
【発明の効果】
【０００９】
本発明に係る照明器具によれば、雪の影響を受けることなく、器具周囲の照度により自動点滅を制御可能にできる。
【図面の簡単な説明】
【００１０】
【図１】本発明に係る実施形態の照明器具を内部を透視して表した場合の側面図
【図２】図１に示した照明器具の要部拡大図
【図３】図１に示した照明器具の変形例の要部平面図
【図４】従来の照明器具の側面図
【発明を実施するための形態】
【００１１】
以下、本発明に係る実施形態の照明器具について、図面を用いて説明する。
図１は本発明に係る実施形態の照明器具を内部を透視して表した場合の側面図、図２は図１に示した照明器具の要部拡大図である。
本実施形態に係る照明器具１０は、例えば防犯灯や街路灯に好適に用いることができる。照明器具１０は、ＬＥＤユニット１１と、器具本体１２と、グローブ１３と、に大別構成される。器具本体１２には例えば支持部材１４が固定され、器具本体１２は、この支持部材１４を介して、道路に立設されている電柱、公園等のポ−ル、或いは、工場等の外壁に取り付けられる。
【００１２】
照明器具１０は、後述する自動点滅器１５を備えている。太陽が沈んで屋外が薄暗くなると、ＬＥＤユニット１１に直列に接続された自動点滅器１５のスイッチが自動的に接続し、ＬＥＤユニット１１が点灯駆動する。太陽が昇って屋外が薄明るくなると、自動点滅器１５のスイッチが自動的に開放し、ＬＥＤユニット１１が自動消灯する。
【００１３】
ＬＥＤユニット１１は、器具本体１２に収容される。ＬＥＤユニット１１には直線状に複数のＬＥＤ１６が配列される。ＬＥＤユニット１１は、不図示の支持柱等を介して器具本体１２に固定される。ＬＥＤユニット１１の表面には図示は省略するが絶縁層であるサブマウントを介してＬＥＤチップが設けられる。ＬＥＤチップとしては、青色光（λ≒４００〜４６０ｎｍ）を放射するＧａＮ系青色半導体発光素子が好適に用いられる。ＬＥＤチップは、サブマウントに設けられた回路部に電極がワイヤにて接続される。ＬＥＤチップ、ワイヤはシリコーン樹脂からなる薄型レジンにより覆われる。薄型レジンは、空気層を介してさらに波長変換部材である蛍光体キャップによって覆われる。蛍光体キャップは、ＬＥＤチップを封止したパッケージボディに一体に固定される。
【００１４】
ＬＥＤ１６が白色仕様の場合、蛍光体キャップは、緑色蛍光体、黄色蛍光体、赤色蛍光体を透光性シリコーン樹脂に分散した後、硬化させて形成されている。この蛍光体キャップによって、ＬＥＤチップからの一部の青色光が、緑色光（λ≒５４０〜５６５ｎｍ）、黄色光（λ≒５６０〜５８０ｎｍ）、赤色光（λ≒６８０〜７２０ｎｍ）に変換される。これらの光が混ざり合って白色光が生成されるようになされている。
【００１５】
器具本体１２は、例えばアルミダイカストによって下方が開口した略船形に形成され、下方がグローブ取付部１７となる。器具本体１２の下面に取り付けられたＬＥＤユニット１１は、グローブ取付部１７にグローブ１３が取り付けられることで、器具本体１２とグローブ１３との内方に収容される。グローブ１３は、器具本体１２のグローブ取付部１７に取り付けられることで、ＬＥＤユニット１１の光出射方向の前方に設けられる。グローブ１３は、透光性を有する例えば合成樹脂材からなる。グローブ１３は、透明、半透明の他、光透過率が高く、ＬＥＤユニット１１からの光を拡散する乳白色のプラスチック板（例えばアクリル樹脂板）であってもよい。
【００１６】
器具本体１２には自動点滅器１５が取り付けられ、自動点滅器１５は検知した外光に基づきＬＥＤユニット１１を点灯消灯制御する。自動点滅器１５は、光電変換素子をスイッチとして用い、継電器と組み合わせることで受光量に応じた点滅回路を構成する。器具本体１２には外光取入開口１８が穿設され、外光取入開口１８は外光を自動点滅器１５に導光する。この外光取入開口１８は、透明材からなるカバー１９によって覆われている。カバー１９は樹脂材料からなり、外光を外光取入開口１８へ集光するためのレンズ形状に形成されている。
【００１７】
外光取入開口１８の器具内側開口周囲面２０には、熱伝導体２１が密着して取り付けられている。熱伝導体２１は、例えばアルミや銅等からなるヒートシンク２２（放熱器）とすることができる。
【００１８】
ＬＥＤユニット１１と、熱伝導体２１とは、放熱経路形成部材２３によって接続されている。放熱経路形成部材２３としては、例えばアルミや銅等の板金材を用いることができる。放熱経路形成部材２３によって接続されることで、ＬＥＤユニット１１と熱伝導体２１との間には、放熱経路２４が形成されている。また、ＬＥＤユニット１１の上面にはヒートシンク２２が設けられていてもよい。この場合、放熱経路形成部材２３は、ＬＥＤユニット１１に密着して設けられたヒートシンク２２に接続される。即ち、発熱源であるＬＥＤユニット１１から受光部２５までが、熱抵抗の小さい放熱経路２４によって接続されている。このように、照明器具１０は、ＬＥＤユニット１１からの排熱が受光部２５において、融雪エネルギーとして高効率に利用できるようになされている。
【００１９】
本実施形態において、器具本体１２は、鉛直線２６に対して所定の角度θだけ傾斜して被取付体に取り付けられている。そして、外光取入開口１８は、器具本体１２の傾斜方向上端部２７に配置されている。つまり、自動点滅器１５、外光取入開口１８、カバー１９とからなる受光部２５は、器具本体１２の傾斜方向上端部２７に設けられている。
【００２０】
図３は図１に示した照明器具１０の変形例の要部平面図である。
なお、照明器具１０は、受光部２５における放熱性、融雪能力の向上のために、傾斜方向上端部２７の外表面に、フィン２８を突設してもよい。フィン２８は、カバー１９を包囲し、器具本体１２の傾斜方向に連続するものを、複数平行に設けることが好ましい。フィン２８を設けることにより、受光部２５に積もった雪との接触面積が増え、受光部近傍の雪をより溶けやすくすることができる。
【００２１】
次に、上記構成を有する照明器具１０の作用を説明する。
ＬＥＤユニット１１が駆動され、ＬＥＤ１６が点灯すると、ＬＥＤユニット１１が発熱する。この発熱は、周囲温度にもよるが冬期において、ＬＥＤユニット１１の基板表面で７０℃程度となる。発熱した熱は熱伝導により放熱経路形成部材２３を介して熱伝導体２１に伝わる。ＬＥＤユニット１１が７０℃程度である場合、放熱経路２４における途中の損失によって、熱伝導体２１は５０℃程度となる。
【００２２】
熱伝導体２１に伝わった熱は、器具内側開口周囲面２０に伝わり、外光取入開口１８やカバー１９の近傍の器具本体１２から外気へ放熱される。これにより、放熱が受光部２５に集中することになる。積雪が生じた場合、受光部２５の雪が優先的に溶け、自動点滅器１５の雪に影響されない自動点滅制御が可能となる。具体的には、夜間点灯時、降雪によっても受光部２５が覆われず、明け方の明かりによる消灯制御が行われる。また、昼間の消灯時、積雪によって受光部２５が覆われてＬＥＤユニット１１が駆動されても、その発熱によって受光部２５の雪が溶かされ、消灯制御が行われるので、昼間の積雪による連続点灯を回避することができる。
【００２３】
また、ＬＥＤユニット１１の熱が器具本体１２の上方に対流によって移動し、傾斜方向上端部２７に配置された外光取入開口１８やカバー１９に集中する。これにより、ＬＥＤユニット１１からの発熱が受光部２５の融雪のために、より高効率に利用されることになる。
【００２４】
従って、本実施形態に係る照明器具１０によれば、雪の影響を受けることなく、器具周囲の照度により自動点滅を制御可能にできる。
【００２５】
なお、上記の実施形態では、放熱経路形成部材２３として板金材を使用する例を説明したが、放熱経路形成部材２３は、このほか、不図示のヒートパイプを用いてもよい。ヒートパイプは、内部に封入した作動流体を温度差によって循環させ、一端側の熱を他端側に移動させることができる。板金材を利用した熱伝導に比べ、高い熱搬送効率を得ることが可能となる。
【符号の説明】
【００２６】
１０  照明器具
１１  ＬＥＤユニット
１２  器具本体
１３  グローブ
１５  自動点滅器
１６  ＬＥＤ
１７  グローブ取付部
１８  外光取入開口
１９  カバー
２０  器具内側開口周囲面
２１  熱伝導体
２３  放熱経路形成部材
２４  放熱経路
２６  鉛直線
２７  傾斜方向上端部
【図１】
2012227017.tif 000003
【図２】
2012227017.tif 000004
【図３】
2012227017.tif 000005
【図４】
2012227017.tif 000006